(57)【要約】【課題】弦楽器の意匠性を損なうことなく、また調弦操作を妨げることもなく、ヘッドに表示機能を付加することが可能な弦楽器用糸巻きを提供する。【解決手段】弦楽器のヘッド１６に着脱自在に取り付けられる弦楽器用糸巻き１００であって、回転操作されるツマミ１０４と、ツマミ１０４の回転に伴い回転するペグポスト１０６と、発光素子１３６と、発光素子１３６からの光により発光する導光体としての第１スリーブ１２０及び第２スリーブ１２２と、を備える。【選択図】図３
2020046471.tif 000002
【特許請求の範囲】
【請求項１】
弦楽器のヘッドに着脱自在に取り付けられる弦楽器用糸巻きであって、
回転操作されるツマミと、
前記ツマミの回転に伴い回転するペグポストと、
発光素子と、
前記発光素子からの光により発光する導光体と、
を備える、弦楽器用糸巻き。
【請求項２】
前記ツマミの回転を前記ペグポストに伝達する伝達機構を備える、
請求項１に記載の弦楽器用糸巻き。
【請求項３】
前記伝達機構は、ウォームギア及びウォームホイールを有するウォーム機構を含む、
請求項２に記載の弦楽器用糸巻き。
【請求項４】
前記ヘッドの取付孔内に配置された、前記ペグポストを挿通可能なスリーブを備え、
前記スリーブは光透過性素材で形成され、
前記導光体は、前記スリーブを含んで構成される、
請求項１から３のいずれか１項に記載の弦楽器用糸巻き。
【請求項５】
前記ツマミ及び前記ペグポストを回転自在に保持するケースと、
前記ケースを前記ヘッドに固定する固定具と、
前記ヘッドと前記固定具との間に配置された、光透過性素材で形成されたワッシャーと、
を備え、
前記導光体は、前記ワッシャーを含んで構成される、
請求項１から３のいずれか１項に記載の弦楽器用糸巻き。
【発明の詳細な説明】
【技術分野】
【０００１】
本発明は、ギター、ベース、ウクレレなどの弦楽器に用いられる弦楽器用糸巻きに関するものである。
【背景技術】
【０００２】
一般に、ギター、ベース、ウクレレなどの弦楽器は、ボディと、ボディの一端から延びるネックと、ネックの他端に取り付けられたヘッドと、ヘッドとボディとの間に張架された複数の弦と、を備えている。そして、ヘッドには複数の糸巻き（ペグ）が取り付けられ、ボディの正面にはブリッジが設けられており、弦は、糸巻きに一端がそれぞれ結合され、他端がネックの正面を通ってブリッジに至るまで延びている。糸巻きは、弦楽器の各弦の張力を調節して調弦を行い、その調弦状態を保持する役割がある。
【０００３】
従来より、弦楽器の演奏をしやすくするために、発光素子（光源）を備えた弦楽器が種々提案されている（例えば、特許文献１〜３参照）。
【０００４】
特許文献１に記載された弦楽器では、弦楽器の演奏において、初心者や熟練者に関係なく誰でも演奏しやすくするために、弦楽器のネックに設けられる指板上の指が押さえるべき位置（フレット位置）全てに発光素子を埋め込み、これを任意に光らせることができるようにして、任意の単音、音階・和音の構成音の位置を表示したり、任意の曲において押さえるべき位置を表示したりするようにしている。
【０００５】
また、特許文献２に記載された弦楽器では、演奏者が暗い場所において演奏するときでも、フレット位置を視認しやすくするために、音程の重要なポイントとなるフレットに近接する位置に発光素子が設けられている。
【０００６】
また、特許文献３に記載された弦楽器では、ボディに取り付けられた複数種のピックアップのうち、演奏時に選択されたピップアップの確認性ないし識別性を向上させるために、各ピックアップの選択状態を表示する発光素子がボディに設けられている。
【先行技術文献】
【特許文献】
【０００７】
【特許文献１】特開平５−１９７５１号公報
【特許文献２】特開２００１−３１２２７３号公報
【特許文献３】特開２００６−２０１３７４号公報
【発明の概要】
【発明が解決しようとする課題】
【０００８】
ところで、弦楽器を演奏する際に、演奏者や聴衆に対する視認性や演出効果を高めるために、弦楽器のヘッドに表示機能を付加することが望まれている。ヘッドに表示機能を付加することにより、例えば、調弦状況を表示したり、イルミネーションに用いたりすることが可能となる。
【０００９】
しかし一方では、ヘッドに表示機能を付加する場合には、弦楽器の調弦操作を妨げないようにしたり、弦楽器の意匠性を損なわないようにしたりすることが重要な技術的課題の１つとなっている。
【００１０】
特許文献１〜３には、弦楽器のネックやボディに表示機能を適用する技術が開示されているにすぎず、その技術をヘッドに適用するための具体的な方法については何ら開示されていない。そのため、特許文献１〜３に開示された技術をヘッドにそのまま適用することは困難であり、また仮に適用したとしても、上述した技術的課題を解決することはできない。
【００１１】
本発明は、このような事情に鑑みてなされたもので、弦楽器の意匠性を損なうことなく、また調弦操作を妨げることもなく、ヘッドに表示機能を付加することが可能な弦楽器用糸巻きを提供することを目的とする。
【課題を解決するための手段】
【００１２】
上記目的を達成するために、以下の発明を提供する。
【００１３】
本発明の第１態様に係る弦楽器用糸巻きは、弦楽器のヘッドに着脱自在に取り付けられる弦楽器用糸巻きであって、回転操作されるツマミと、ツマミの回転に伴い回転するペグポストと、発光素子と、発光素子からの光により発光する導光体と、を備える。
【００１４】
本発明の第２態様に係る弦楽器用糸巻きは、第１態様において、ツマミの回転をペグポストに伝達する伝達機構を備える。
【００１５】
本発明の第３態様に係る弦楽器用糸巻きは、第２態様において、伝達機構は、ウォームギア及びウォームホイールを有するウォーム機構を含む。
【００１６】
本発明の第４態様に係る弦楽器用糸巻きは、第１態様から第３態様のいずれか１つの態様において、ヘッドの取付孔内に配置された、ペグポストを挿通可能なスリーブを備え、スリーブは光透過性素材で形成され、導光体は、スリーブを含んで構成される。
【００１７】
本発明の第５態様に係る弦楽器用糸巻きは、第１態様から第３態様のいずれか１つの態様において、ツマミ及びペグポストを回転自在に保持するケースと、ケースをヘッドに固定する固定具と、ヘッドと固定具との間に配置された、光透過性素材で形成されたワッシャーと、を備え、導光体は、ワッシャーを含んで構成される。
【発明の効果】
【００１８】
本発明によれば、弦楽器の意匠性を損なうことなく、また弦調弦操作を妨げることもなく、ヘッドに表示機能を付加することが可能である。
【図面の簡単な説明】
【００１９】
【図１】本発明の第１実施形態に係る糸巻きを備えた弦楽器を示す平面図
【図２】本発明の第１実施形態に係る糸巻きを示す斜視図
【図３】本発明の第１実施形態に係る糸巻きを示す断面図
【図４】本発明の第２実施形態に係る糸巻きを示す斜視図
【図５】本発明の第２実施形態に係る糸巻きを示す斜視図
【図６】本発明の第２実施形態に係る糸巻きを示す分解組み立て図
【発明を実施するための形態】
【００２０】
以下、添付図面に従って本発明の好ましい実施の形態について詳説する。
【００２１】
（第１実施形態）
図１は、本発明の第１実施形態に係る糸巻き１００を備えた弦楽器１０を示す平面図である。図１に示すように、弦楽器１０は、例えばギター、ベース、ウクレレなどの弦楽器からなり、ボディ１２と、ボディ１２の一端から延びるネック１４と、ネック１４の他端に取り付けられたヘッド１６と、ヘッド１６とボディ１２との間に張架された複数の弦１８と、を備えている。
【００２２】
ヘッド１６には、弦１８の先端側（始端）を巻き付けて弦１８の張力を調節可能な複数の糸巻き１００が設けられている。すなわち、ヘッド１６には、複数の弦１８にそれぞれに対応する複数の糸巻き１００が着脱自在に取り付けられている。糸巻き１００は、それぞれ対応する弦１８の張力を調節して調弦を行い、その調弦状態を保持するものである。なお、糸巻き１００は、本発明の弦楽器用糸巻きの一例であり、その具体的構成については後述する。
【００２３】
ボディ１２には、弦１８の後端を固定するためのブリッジ２６が取り付けられており、弦１８の後端はブリッジ２６に開けられた穴もしくは溝（不図示）に固定されている。
【００２４】
ネック１４には、金属製のフレット２８が特定の間隔で埋め込まれた指板３０が取り付けられている。指板３０の先端には、複数の弦１８を所定の間隔に揃え、かつ、フレット２８の上面より僅かに弦１８を浮かせて支持するための溝が設けられたナット（上駒）３２が固定されている。ブリッジ２６には、弦１８の後端（終端）近くで、弦１８をフレット２８の上面より僅かに浮かせて支持するためのサドル（下駒）３４が固定されている。なお、楽器の種類によってはフレット２８が存在しないものもある。
【００２５】
弦１８は、ナット３２とサドル３４の間、もしくは、指板３０上のフレット２８とサドル３４の間で振動する。また、指板３０上の所定の場所で弦１８を押さえることで、フレット２８とサドル３４の間の弦長が調節され、所定の音高（ピッチ）を得ることができる。弦１８に振動を付与する態様としては、弦１８の押さえた指とサドル３４間の所定の位置で指を弾く態様や、弓などで擦ることで振動のきっかけを与える態様がある。
【００２６】
このように構成される弦楽器１０では、弦楽器１０の演奏を行うべく弦１８に振動を与えると、弦１８の振動がサドル３４、ブリッジ２６を介してボディ１２の表板に伝達され、それによってボディ１２の内部空間において共鳴が発生し、ボディ１２に形成されたサウンドホール３６から楽音を発する。
【００２７】
次に、本発明の第１実施形態に係る糸巻き１００の構成について、図２を参照して詳しく説明する。図２は、本発明の第１実施形態に係る糸巻き１００を示す斜視図である。なお、図２は、弦楽器１０のヘッド１６の裏面１６ｂ側（すなわち、図１に示すヘッド１６の弦１８が配置される面とは反対側）から糸巻き１００を見た場合の斜視図である。また、図２では、ヘッド１６に取り付けられる複数の糸巻き１００を代表して１つの糸巻き１００を示している。また、図２において、糸巻き１００の取り付け部であるヘッド１６の部分は想像線（二点鎖線）で示している。
【００２８】
図２に示すように、本実施形態の糸巻き１００は、ベースプレート１０２と、回転操作されるツマミ１０４と、ツマミ１０４の回転に伴い回転するペグポスト１０６と、ツマミ１０４の回転をペグポスト１０６に伝達する伝達機構１０８と、を備えている。
【００２９】
ベースプレート１０２は、ツマミ１０４及びペグポスト１０６を回転自在に保持する平板状部材である。ベースプレート１０２は、木ネジなどの固定手段（不図示）によってヘッド１６の裏面１６ｂに固定される。
【００３０】
ツマミ１０４は、ベースプレート１０２に回転自在に軸支されたシャフト１１０を有している。シャフト１１０の回転軸は、ヘッド１６の幅方向（図２のＷ方向）と平行に配置される。シャフト１１０には、ウォームギア１１２が設けられている。ウォームギア１１２は、後述するウォームホイール１１４と噛み合っている。
【００３１】
ペグポスト１０６は、ペグポスト本体軸部１１６と、ペグポスト本体軸部１１６のベースプレート１０２側の端部に設けられたペグポスト頭部１１８とで構成されている。
【００３２】
ペグポスト本体軸部１１６は、ヘッド１６の厚さ方向（図２のＤ方向）を長手軸方向とする棒状部材である。ペグポスト本体軸部１１６は、ヘッド１６に貫通形成された取付孔３８（図３参照）に挿通され、その先端部１１６ａがヘッド１６の表面１６ａ側に突出した状態で配置される。ペグポスト本体軸部１１６の先端部１１６ａは、弦１８が巻き付けられる弦巻き付け部を構成する部分である。
【００３３】
ペグポスト頭部１１８は、ベースプレート１０２の上面側に配置される部分であり、その外周部には、ウォームホイール１１４が設けられている。ウォームホイール１１４は、前述したウォームギア１１２と噛み合っている。
【００３４】
本実施形態における伝達機構１０８は、ウォームギア１１２及びウォームホイール１１４を有するウォーム機構を含んで構成され、ツマミ１０４の回転を減速してペグポスト１０６に伝達する。すなわち、ツマミ１０４が回転操作されると、そのシャフト１１０に設けられたウォームギア１１２が回転する。そして、ウォームホイール１１４が、ウォームギア１１２に対して減速して回転し、ペグポスト１０６がウォームギア１１２と一体となって回転する。これにより、ペグポスト１０６に巻き付けられた弦１８の張力を調節することができ、調弦操作を行うことが可能となる。
【００３５】
また、本実施形態では、伝達機構１０８がウォーム機構を含んで構成されるので、ウォーム機構のセルフロック機能により、ウォームホイール１１４からの駆動力がウォームギア１１２に伝達されない。すなわち、ツマミ１０４が回転操作されない場合にはペグポスト１０６が回転不能にロックされるので、弦１８の張力によりペグポスト１０６が回転して弦１８が緩まないようにすることができる。
【００３６】
なお、本実施形態では、好ましい態様の一例として、伝達機構１０８としてウォーム機構を採用したが、ウォーム機構以外の構成にしてもよい。例えば、ツマミ１０４とペグポスト１０６とを直結し、摩擦によってペグポスト１０６が弦１８の張力によって回転するのを防ぐようにしてもよい。
【００３７】
ここで、本実施形態の糸巻き１００の構成について、図３を参照して更に詳しく説明する。図３は、本発明の第１実施形態に係る糸巻き１００を示す断面図である。なお、図３は、図２において、ペグポスト１０６の長手軸（ペグポスト本体軸部１１６の軸線方向）を含み、且つヘッド１６の幅方向（すなわち、シャフト１１０の長手軸方向）に平行な断面を示している。
【００３８】
図３に示すように、本実施形態では、ペグポスト本体軸部１１６の外周部を覆う筒状の２つのスリーブ１２０、１２２（以下、「第１スリーブ１２０」、「第２スリーブ１２２」という。）を備えている。
【００３９】
ヘッド１６に貫通形成された取付孔３８にペグポスト１０６を挿通して配置する場合に、第１スリーブ１２０及び第２スリーブ１２２は、ペグポスト本体軸部１１６の周囲をカバーし、主に木材で製作されたヘッド１６との摩擦による影響を防止するために設けられるものである。
【００４０】
第１スリーブ１２０及び第２スリーブ１２２は、いずれも光透過性素材により形成され、後述する発光素子１３６からの光を導光可能となっている。光透過性素材としては、例えば、アクリルやポリカーボネイトなどの樹脂、ガラス、コランダム等を用いることができる。
【００４１】
第１スリーブ１２０の内部には、ペグポスト本体軸部１１６を挿通可能な第１スリーブ挿通孔１２４が設けられている。第１スリーブ１２０は、取付孔３８に挿通される筒状の第１本体部１２６と、第１本体部１２６のベースプレート１０２側に設けられた第１フランジ部１２８とで構成されている。第１フランジ部１２８は、第１本体部１２６と一体的に形成される。
【００４２】
第１フランジ部１２８は、第１スリーブ挿通孔１２４の開口端から径方向外側に向かって広がる部分であり、ベースプレート１０２の上面に沿って配置され、その一部は後述する発光素子１３６に向かって延設される。
【００４３】
第２スリーブ１２２の内部には、ペグポスト本体軸部１１６を挿通可能な第２スリーブ挿通孔１３０が設けられている。第２スリーブ１２２は、取付孔３８に挿通される筒状の第２本体部１３２と、第２本体部１３２のベースプレート１０２側とは反対側に設けられた第２フランジ部１３４とで構成されている。第２フランジ部１３４は、第２本体部１３２と一体的に形成される。
【００４４】
第２フランジ部１３４は、第２スリーブ挿通孔１３０の開口端から径方向外側に向かって円板状に広がる部分であり、ヘッド１６の表面１６ａに沿って配置される。
【００４５】
ベースプレート１０２には、ＬＥＤ（発光ダイオード）等の発光素子１３６を配置した制御基板１３８が設けられる。制御基板１３８には、発光素子１３６の他に、発光素子１３６を制御するための制御回路が配置される。また、制御基板１３８には、発光素子１３６やその制御回路を動作させるための電源や各種制御（発光制御等）用の信号を伝送する配線１４０（図２参照）が接続される。配線１４０は、不図示のマイコン等で構成される表示制御用の回路に接続される。また、制御基板１３８上には、配線１４０を接続するためのコネクタが設けられており、ヘッド１６に取り付けられる他の糸巻き１００の制御基板１３８との直列接続を可能としている。なお、発光素子１３６を発光させるための電気回路構成は既知であるので、ここでは詳細な説明を省略する。
【００４６】
ここで、本実施形態では、第１スリーブ１２０は、第１フランジ部１２８の発光素子１３６側の端面に形成された第１光入射面１４２と、第１本体部１２６の第２本体部１３２側の端面に形成された第１光出射面１４４とを有しており、それ以外の面は第１スリーブ１２０の内部を伝搬する光を反射する反射面として構成されている。
【００４７】
また、第２スリーブ１２２は、第２本体部１３２の第１本体部１２６側の端面に形成された第２光入射面１４６と、第２フランジ部１３４の第１本体部１２６側とは反対側の端面（フランジ面）に形成された第２光出射面１４８とを有しており、それ以外の面は第２スリーブ１２２の内部を伝搬する光を反射する反射面として構成されている。
【００４８】
第１スリーブ１２０及び第２スリーブ１２２の各反射面には、全反射臨界角よりも小さい入射角で反射面に入射する光も反射できるように、金属製の蒸着膜、あるいは、屈折率の異なる複数の材料により形成される多層反射膜が形成されてもよい。
【００４９】
かかる構成により、発光素子１３６から発せられた光は、発光素子１３６に対向する第１光入射面１４２に入射し、第１スリーブ１２０の内部で全反射を繰り返しながら第１光出射面１４４に導かれ、第１光出射面１４４から出射される。そして、第１光出射面１４４から出射された光は、第１光出射面１４４に対向する第２光入射面１４６に入射し、第２スリーブ１２２の内部で全反射を繰り返しながら第２光出射面１４８に導かれ、第２光出射面１４８から出射される。これにより、ペグポスト１０６の先端部（ペグポスト本体軸部１１６の先端部１１６ａ）付近が照明されるため、演奏者や聴衆に対する視認性や演出効果を高めることが可能となる。
【００５０】
以上のとおり、本実施形態の糸巻き１００は、発光素子１３６からの光を導光して発光する導光体として第１スリーブ１２０及び第２スリーブ１２２を備えたので、弦楽器１０の調弦操作を妨げることがないようにヘッド１６に表示機能を付加することが可能となる。また、ヘッド１６に表示機能を付加する際、ヘッド１６の形状を変更する必要がないので、弦楽器１０の意匠性を損なうことがない。
【００５１】
また、本実施形態では、好ましい態様の一例として、第１スリーブ１２０の第１光出射面１４４と、第２スリーブ１２２の第２光入射面１４６とが取付孔３８の内部（すなわち、ヘッド１６の内部）で密接して対向配置された構成を示したが、必ずしもこの構成に限定されるものではない。すなわち、第１光出射面１４４と第２光入射面１４６とはヘッド１６の内部に配置されて他の外光の影響をほぼ受けることがないので、第１スリーブ１２０により導かれた光を第２スリーブ１２２に伝達可能であれば、第１光出射面１４４と第２光入射面１４６との間に間隙部が形成されていてもよい。
【００５２】
また、本実施形態では、第２光出射面１４８が光散乱面で構成されることが好ましい。光散乱面としては、例えばフロスト加工やシボ加工が施された面等を採用することが可能である。第２光出射面１４８を光散乱面で構成することにより、第２光出射面１４８から出射された光をより鮮明に確認することが可能となる。
【００５３】
また、本実施形態では、制御基板１３８に接続される配線１４０として、ＦＰＣ等で構成されたフラットケーブルが用いられることが好ましい。この構成によれば、配線１４０としてのフラットケーブルを、ベースプレート１０２とともにヘッド１６に固定し、ヘッド１６に密着させることができる。これにより、弦楽器１０の演奏中または調弦中に配線１４０が邪魔になることもなく、配線断などの故障を未然に防ぐことができる。さらに、ヘッド１６とベースプレート１０２との間にゴム等の軟質の素材でできた緩衝材を介在させることで、配線１４０の厚みによる段差を吸収し、ヘッド１６、糸巻き１００、配線１４０への過剰な歪みを吸収することができる。
【００５４】
また、本実施形態では、糸巻き１００の構成部品の１つである制御基板１３８や他の構成部品をケース（不図示）で覆うようにしてもよい。これにより、弦楽器１０の意匠性をさらに高めることが可能となる。
【００５５】
また、本実施形態では、発光素子１３６からの光を導光して発光する導光体として、第１スリーブ１２０及び第２スリーブ１２２を備えた構成を示したが、この構成に限らず、糸巻き１００を構成する他の構成部品を導光体として用いてもよい。
【００５６】
導光体の他の一例として、ペグポスト１０６を導光体として用いることが可能である。例えば、ペグポスト１０６を、強度の高い光透過性素材（例えば、ポリカーボネイト、強化ガラス、コランダム等）で形成し、ペグポスト頭部１１８の端面に光入射面を形成するとともに、ペグポスト本体軸部１１６の先端部１１６ａ（取付孔３８からヘッド１６の表面１６ａ側に突出する部分）に光出射面を形成し、それ以外の面を反射面として構成する。この場合、ペグポスト頭部１１８の光入射面に対向する位置に発光素子１３６を配置する。これにより、発光素子１３６からの光は、ペグポスト１０６の光入射面に入射し、その内部で全反射を繰り返しながら、ペグポスト１０６の光出射面に導かれて出射されるため、本実施形態と同様の効果を得ることができる。
【００５７】
導光体の更に他の一例として、シャフト１１０やツマミ１０４を導光体として用いることも可能である。例えば、シャフト１１０からツマミ１０４にかけて中空のパイプ状の導光路を形成し、その内部に光透過性素材（例えば、アクリルやポリカーボネイト等の樹脂）からなる導光部材を挿通配置してもよい。この場合、シャフト１１０の端面（導光路の一端の開口面）に光入射面が形成され、ツマミ１０４の端面（導光路の他端の開口面）に光出射面が形成される。そして、シャフト１１０の光入射面に対向する位置に発光素子１３６を配置する。これにより、発光素子１３６からの光は、シャフト１１０の光入射面に入射し、シャフト１１０からツマミ１０４にかけて形成された導光路の内部で全反射を繰り返しながら、ツマミ１０４の光出射面に導かれて出射される。したがって、発光素子１３６からの光をツマミ１０４まで導くことが可能となり、ツマミ１０４の周囲を照明することが可能となる。そのため、本実施形態と同様の効果を得ることができる。
【００５８】
なお、ツマミ１０４も光透過性素材（例えば、アクリルやポリカーボネイト等の樹脂）で形成してもよい。この構成によれば、発光素子からの光によりツマミ１０４の一部の表面だけでなく表面全体を発光させることが可能となる。また、ツマミ１０４の表面にフロスト処理をかけて半透明にすることで、外観上はツマミ１０４全体が光って見えるので、表示の効果を高めることもできる。また、ツマミ１０４を不透明な素材で形成し、ツマミ１０４を取り付ける先端のネジ（不図示）に透明な樹脂ネジを用いれば、ネジから発光させることにより、ツマミ１０４全体が発光したようになるので、弦楽器１０の意匠性をさらに高めることが可能となる。
【００５９】
また、上述した導光路を、ツマミ１０４の手前となるシャフト１１０の基端部（ツマミ１０４とウォームギア１１２との間の部分）まで形成し、シャフト１１０の基端部に光出射面を形成してもよい。これにより、発光素子１３６からの光は、ツマミ１０４の手前となるシャフト１１０の基端部（ツマミ１０４とウォームギア１１２との間の部分）まで導かれて、シャフト１１０の基端部に形成した光出射面から出射される。したがって、このような構成においても、ツマミ１０４の周囲を照明することが可能となるので、本実施形態と同様の効果を得ることができる。
【００６０】
（第２実施形態）
次に、本発明の第２実施形態について説明する。なお、以下の実施形態において、上述した実施形態で用いた部材と同一の部材には同一の符号を付して、その説明を省略する。
【００６１】
図４は、本発明の第２実施形態に係る糸巻き１００Ａを示す斜視図である。図５は、本発明の第２実施形態に係る糸巻き１００Ａを示す斜視図であり、図４とは異なる視点から糸巻き１００Ａを見た場合の斜視図である。図６は、本発明の第２実施形態に係る糸巻き１００Ａを示す分解組み立て図である。なお、図４及び図５では、ケース本体１５４の開口部から蓋部材１５６を取り外した状態を示している。
【００６２】
図４から図６に示すように、本実施形態に係る糸巻き１００Ａは、ツマミ１０４及びペグポスト１０６を回転自在に保持するケース１５０と、ケース１５０をヘッド１６に固定するための固定具１５２と、を備えている。
【００６３】
ケース１５０は、ウォームギア１１２及びウォームホイール１１４を含む構成部品を収容するためのケースである。ケース１５０は、ヘッド１６側とは反対側に開口する箱型のケース本体１５４と、ケース本体１５４の開口部を塞ぐ蓋部材１５６とで構成される。
【００６４】
ケース本体１５４には、ツマミ１０４のシャフト１１０が回転自在に軸支されている。シャフト１１０に設けられたウォームギア１１２は、ケース本体１５４の内部に配置されている。また、ケース本体１５４の内部には、ペグポスト頭部１１８に設けられたウォームホイール１１４がウォームギア１１２と噛み合った状態で配置されている。なお、ツマミ１０４はケース本体１５４の外部に配置されており、ツマミ１０４を回転操作することが可能となっている。
【００６５】
ケース本体１５４の開口部とは反対側の底部には、円筒状のスリーブ１５８が一体的に設けられている。スリーブ１５８は、糸巻き１００Ａをヘッド１６に取り付ける場合に取付孔３８（図３参照）に挿通される部分である。
【００６６】
スリーブ１５８の内部には、その軸方向に沿って貫通形成された挿通孔１６０（図６参照）が設けられている。挿通孔１６０は、ペグポスト本体軸部１１６の外径よりも大きな内径を有しており、ペグポスト本体軸部１１６を挿通可能となっている。また、スリーブ１５８の内周面（すなわち、挿通孔１６０の内壁面）には、後述する固定具１５２が螺合可能な雌ネジ（不図示）が形成されている。
【００６７】
固定具１５２は、スリーブ１５８の内部に形成された挿通孔１６０に挿通かつ螺合されるネジ軸部１６２と、ネジ軸部１６２の端部に形成されたネジ頭部１６４とで構成されている。なお、ネジ軸部１６２の外周面には、スリーブ１５８の内周面（すなわち、挿通孔１６０の内壁面）に形成された雌ネジと螺合する雄ネジが形成されている。
【００６８】
固定具１５２は、スリーブ１５８の内部に形成された挿通孔１６０にネジ軸部１６２を挿通して螺合させることにより、ケース本体１５４とヘッド１６とを固定している。なお、ネジ軸部１６２には後述するワッシャー１６６が挿通されており、ネジ軸部１６２を挿通孔１６０に挿通して螺合させた場合に、ネジ頭部１６４とヘッド１６の表面１６ａとの間にワッシャー１６６が介在される。
【００６９】
固定具１５２（ネジ軸部１６２及びネジ頭部１６４）の内部には、その軸方向に沿って貫通形成された挿通孔１６８が設けられている。挿通孔１６８は、ペグポスト本体軸部１１６の外径よりも大きな内径を有しており、スリーブ１５８の内部に形成された挿通孔１６０とともにペグポスト挿通路を構成する。これにより、ペグポスト本体軸部１１６は、ケース本体１５４の底部に形成された開口部からペグホスト挿通路（挿通孔１６０及び挿通孔１６８の内部に挿通され、その一部である先端部１１６ａがヘッド１６の表面１６ａ側に突出した状態で配置される。
【００７０】
ペグポスト頭部１１８は、ケース本体１５４の内部に配置される部分であり、その外周部には、前述のウォームギア１１２と噛み合うウォームホイール１１４が設けられている。ウォームホイール１１４は、ウォームギア１１２とともにケース本体１５４の内部に配置されている。
【００７１】
本実施形態においても、第１実施形態と同様に、伝達機構１０８は、ウォームギア１１２及びウォームホイール１１４を有するウォーム機構を含んで構成されるので、ツマミ１０４の回転を減速してペグポスト１０６に伝達する可能となっている。したがって、ペグポスト１０６に巻き付けられた弦１８の張力を調節することができ、調弦操作を行うことが可能となる。
【００７２】
本実施形態における糸巻き１００Ａは、上記構成に加え、さらに、発光素子１３６からの光によって発光する導光体としてのワッシャー１６６と、発光素子１３６からの光をワッシャー１６６に導く導光ライン１７０と、を備えている。
【００７３】
発光素子１３６は、ケース本体１５４とヘッド１６の裏面１６ｂとの間に設けられた制御基板１３８上に配置される。制御基板１３８上には、発光素子１３６の他に、制御回路、コネクタ、配線等が配置される。なお、制御基板１３８は、接着剤などの接合手段によりケース本体１５４と一体化されていてもよいし、別体であってもよい。
【００７４】
導光ライン１７０は、発光素子１３６からの光が入射される光入射面（不図示）と、光入射面から入射した光をワッシャー１６６側に出射する光出射面（不図示）とを有する長尺平板状の導光体である。導光ライン１７０は、光透過性素材により形成される。導光ライン１７０を構成する光透過性素材としては、アクリルやポリカーボネイト等の樹脂等を用いることが可能である。
【００７５】
ケース本体１５４と一体形成されたスリーブ１５８は、その軸方向に沿って外壁面の一部を切り欠いた溝部１７２（図５参照）を備えている。この溝部１７２には、導光ライン１７０が配置される。なお、導光ライン１７０の配置形態によっては、ケース本体１５４の一部を切り欠いてもよい。
【００７６】
ワッシャー１６６は、上述したように、固定具１５２によりケース本体１５４とヘッド１６とを固定する場合に、ネジ軸部１６２に挿通された状態でネジ頭部１６４とヘッド１６の表面１６ａとの間に介在される部材である。
【００７７】
ワッシャー１６６は、導光ライン１７０の光出射面から出射した光により、その表面全体が発光するリング状の導光体であり、例えば、アクリルやポリカーボネイト等の樹脂、ガラス、コランダム等の光透過性素材により形成される。
【００７８】
かかる構成により、発光素子１３６から発せられた光は、導光ライン１７０によってワッシャー１６６に導かれることにより、ワッシャー１６６の表面全体が発光する。これにより、ペグポスト１０６の先端部（ペグポスト本体軸部１１６の先端部１１６ａ）付近が照明されるため、演奏者や聴衆に対する視認性や演出効果を高めることが可能となる。
【００７９】
以上のとおり、本実施形態によれば、糸巻き１００Ａには、発光素子１３６からの光を導光して発光する導光体としてワッシャー１６６及び導光ライン１７０を備えたので、弦楽器１０の調弦操作を妨げることがないようにヘッド１６に表示機能を付加することが可能となる。また、ヘッド１６に表示機能を付加する際、ヘッド１６の形状を変更する必要がないので、弦楽器１０の意匠性を損なうことがない。
【００８０】
また、本実施形態によれば、弦１８の張力はペグポスト１０６を通して、ケース本体１５４と一体構造のスリーブ１５８が受けるので、ワッシャー１６６は弦１８の張力を受けないので歪む心配がない。
【００８１】
また、本実施形態では、ワッシャー１６６の表面が光散乱面で構成されることが好ましい。光散乱面としては、例えばフロスト加工やシボ加工が施された面等を採用することが可能である。ワッシャー１６６の表面を光散乱面で構成することにより、ワッシャー１６６の表面から発光する光をより鮮明に確認することが可能となる。
【００８２】
また、本実施形態では、発光素子１３６からの光を導光して発光する導光体として、ワッシャー１６６及び導光ライン１７０を備えた構成を示したが、これに限らず、ペグポスト１０６を導光体として用いる態様や、シャフト１１０やツマミ１０４を導光体として用いる態様などと組み合わせた構成としてもよい。
【００８３】
なお、本実施形態では、制御基板１３８をケース本体１５４の外部に配置した構成を示したが、この構成に限らず、制御基板１３８をケース本体１５４の内部に配置してもよいことはいうまでもない。
【００８４】
以上、本発明の実施形態について説明したが、本発明は、以上の例には限定されず、本発明の要旨を逸脱しない範囲において、各種の改良や変形を行ってもよいのはもちろんである。
【符号の説明】
【００８５】
１０…弦楽器、１２…ボディ、１４…ネック、１６…ヘッド、１８…弦、２６…ブリッジ、２８…フレット、３０…指板、３２…ナット、３４…サドル、３６…サウンドホール、１００…糸巻き、１０２…ベースプレート、１０４…ツマミ、１０６…ペグポスト、１０８…伝達機構、１１０…シャフト、１１２…ウォームギア、１１４…ウォームホイール、１１６…ペグポスト本体軸部、１１８…ペグポスト頭部、１２０…第１スリーブ、１２２…第２スリーブ、１２４…第１スリーブ挿通孔、１２６…第１本体部、１２８…第１フランジ部、１３０…第２スリーブ挿通孔、１３２…第２本体部、１３４…第２フランジ部、１３６…発光素子、１３８…制御基板、１４０…配線、１４２…第１光入射面、１４４…第１光出射面、１４６…第２光入射面、１４８…第２光出射面、１５０…ケース、１５２…固定具、１５４…ケース本体、１５６…蓋部材、１５８…スリーブ、１６０…挿通孔、１６２…ネジ軸部、１６４…ネジ頭部、１６６…ワッシャー、１６８…挿通孔、１７０…導光ライン、１７２…溝部
【図１】
2020046471.tif 000003
【図２】
2020046471.tif 000004
【図３】
2020046471.tif 000005
【図４】
2020046471.tif 000006
【図５】
2020046471.tif 000007
【図６】
2020046471.tif 000008